(57)【要約】【課題】構造が簡単で、使用者の手を傷つけることがない傘具を提供する。【解決手段】  下ろくろと、はじきと、駆動器とを含んでなり、下ろくろが、中棒に回動自在に設けられ、下ろくろの上下にはそれぞれ上方延伸部と、下方延伸部とが設けられ、該上方延伸部には孔が設けられ、はじきが、下ろくろの上方延伸部の孔に掛合されて傘を開くことができ、該はじきが中棒か、或いは上ろくろの下方延伸部か、或いは中棒と上ろくろの下方延伸部とに設けられ、駆動器がハンドル部と駆動部とを含んでなり、該ハンドル部が下ろくろの下方延伸部に滑動自在に接続して滑動し、該駆動部が下ろくろの上方延伸部に滑動自在に設けられるとともに、駆動部の内側には凸部が設けられ、傘を開く場合、該凸部が下ろくろの孔に掛合されているはじきを押し圧し、ハンドル部と駆動部とが接続アームで接続されているため、連動する。【選択図】  図１
0003141990.tif 000002
【実用新案登録請求の範囲】
【請求項１】
下ろくろと、はじきと、駆動器とを含んでなり、
該下ろくろが、中棒に回動自在に設けられ、下ろくろの上下にはそれぞれ上方延伸部と、下方延伸部とが設けられ、該上方延伸部には孔が設けられ、
該はじきが、下ろくろの上方延伸部の孔に掛合されて傘を開くことができ、該はじきが中棒か、或いは上ろくろの下方延伸部か、或いは中棒と上ろくろの下方延伸部とに設けられ、      
該駆動器がハンドル部と駆動部とを含んでなり、該ハンドル部が下ろくろの下方延伸部に滑動自在に接続して滑動し、該駆動部が下ろくろの上方延伸部に滑動自在に設けられるとともに、駆動部の内側には凸部が設けられ、傘を開く場合、該凸部が下ろくろの孔に掛合されているはじきを押し圧し、ハンドル部と駆動部とが接続アームで接続されているため、連動することを特徴とする傘具。
【請求項２】
前記駆動部の凸部が、上方側面に斜部が設けられ、凸部の下方斜面には斜部が設けられ、該斜部と斜部とが傘を開く場合、はじきを内側に押し圧して収縮させることを特徴とする請求項１に記載の傘具。
【請求項３】
前記凸部が、下方斜面に設けられた斜部の下方に延伸した部分に凹部を設けてなり、傘を開く場合、はじきが凹部の内側に突出することを特徴とする請求項１または２に記載の傘具。
【請求項４】
前記接続アームが、ハンドル部と駆動部と、リベットなどで接続か、或いは嵌合するか、或いは一体に成型され、該ハンドル部が、内側に滑動溝を具えてなり、下ろくろの下方延伸部の凸縁部が滑動し、互いに係合することを特徴とする請求項１に記載の傘具。
【請求項５】
前記下ろくろに回動自在にもうけられた受骨の内の一本、二本、或いは複数本の内側端縁部に内側に延伸した延伸桿が設けられ、該延伸桿が傘を開く場合に中棒を支持することを特徴とする請求項１に記載の傘具。
【請求項６】
前記はじきが、凸部と弾性体とを含んでなり、該凸部が中棒か、或いは上ろくろの下方延伸部か、或いは中棒と上ろくろの下方延伸部に設けられた孔に設けられ、内側端縁部が弾性部材に支持されて、凸部が該孔に対応して伸縮することを特徴とする請求項１に記載の傘具。
【請求項７】
前記はじきの凸部と弾性部材とが一体に成形されるか、或いは別に形成してから組み合わせるか、或いははじきが一体に成型された弓状の片に形成されることを特徴とする請求項６に記載の傘具。
【請求項８】
前記下ろくろの上下側面の上方延伸部と、下方延伸部とが一体に成形した後、下ろくろに設けられるか、或いは下ろくろと上方延伸部と、下方延伸部と直接一体に成形されることを特徴とする請求項１に記載の傘具。
【請求項９】
前記はじきが、上方から下方に掛合するフックで、上ろくろの側面に設けられ、上ろくろの下方延伸部の該フックに対応する位置にフックを掛合するために供する空間が設けられ、該フックが上ろくろと一体に成形されるか、或いは回動自在に接続されることを特徴とする請求項１に記載の傘具。
【請求項１０】
前記はじきが、下方から上方に掛合するフックで、上ろくろの下方延伸部の側面に設けられ、上ろくろの下方延伸部と一体に成形するか、或いは回動自在に接続されるとともに、上ろくろの下方延伸部にはフックに対応する位置にフックを掛合するために供する空間が設けられることを特徴とする請求項１に記載の傘具。
【請求項１１】
前記弾性部材が、圧縮バネか、あるいは弾性片であることを特徴とする請求項６に記載の傘具。
【考案の詳細な説明】
【技術分野】
【０００１】
この考案は、傘具であって、特に雨や雪の天候で使用する傘の傘具に関する。
【背景技術】
【０００２】
従来、傘は風や雨などを遮断する道具として使用されてきた。傘を開く場合、下ろくろを中棒に沿って上方に滑動させると、下ろくろに接続する受骨を通して傘具の親骨が開かれる。      
【０００３】
複数の親骨が開くと、傘の表面が持ち上げられて、傘が開き、使用することができる。
【０００４】
一般の傘具は、傘を開く場合、中棒に設けられているはじきが下ろくろに掛合するか、或いは下ろくろの下端面に支持されていることを利用して下ろくろを位置決めするとともに、前述の構造により傘を開いて使用することができる。
【０００５】
傘を閉じる場合には、通常、手で上はじきを押すと、上はじきが内側に縮小して下ろくろの掛合が緩められ、下ろくろが中棒に沿って下方に移動して傘を閉じることができる。
【０００６】
しかしながら、前述の構造からなる傘具は安全性にすぐれていないだけでなく、使用者の手を傷つけ易い。
【０００７】
そこで、使用者の手が直接はじきに接触して押すことを防ぐため、下ろくろの上にボタンチップを設ける傘が作成された。
【０００８】
上述の傘は、手でボタンチップを押すことにより、ボタンチップがはじきを動かすため、前述の危険性を抑えることができる。
【０００９】
しかしながら、いずれの構造の傘具も、傘を閉じる場合には、手ではじきを押さなければならないため、使用者の手を痛め傷つけるとともに、操作する点が小さすぎて操作し難いなどの欠点がある。
【考案の開示】
【考案が解決しようとする課題】
【００１０】
この考案は、構造が簡単で、使用者の手を傷つけることがない傘具を提供することを課題とする。
【課題を解決するための手段】
【００１１】
そこで、本考案者は従来の技術に見られる欠点に鑑みて鋭意研究を重ねた結果、下ろくろと、はじきと、駆動器とを含んでなり、
該下ろくろが、中棒に回動自在に設けられ、下ろくろの上下にはそれぞれ上方延伸部と、下方延伸部とが設けられ、該上方延伸部には孔が設けられ、
該はじきが、下ろくろの上方延伸部の孔に掛合されて傘を開くことができ、該はじきが中棒か、或いは上ろくろの下方延伸部か、或いは中棒と上ろくろの下方延伸部とに設けられ、      
該駆動器がハンドル部と駆動部とを含んでなり、該ハンドル部が下ろくろの下方延伸部に滑動自在に接続して滑動し、該駆動部が下ろくろの上方延伸部に滑動自在に設けられるとともに、駆動部の内側には凸部が設けられ、傘を開く場合、該凸部が下ろくろの孔に掛合されているはじきを押し圧し、ハンドル部と駆動部とが接続アームで接続されているため、連動する傘具の構造によって課題を解決できる点に着眼し、かかる知見に基づいて本考案を完成させた。
【００１２】
以下、この考案について具体的に説明する。
請求項１に記載の傘具は、下ろくろと、はじきと、駆動器とを含んでなり、
該下ろくろが、中棒に回動自在に設けられ、下ろくろの上下にはそれぞれ上方延伸部と、下方延伸部とが設けられ、該上方延伸部には孔が設けられ、
該はじきが、下ろくろの上方延伸部の孔に掛合されて傘を開くことができ、該はじきが中棒か、或いは上ろくろの下方延伸部か、或いは中棒と上ろくろの下方延伸部とに設けられ、      
該駆動器がハンドル部と駆動部とを含んでなり、該ハンドル部が下ろくろの下方延伸部に滑動自在に接続して滑動し、該駆動部が下ろくろの上方延伸部に滑動自在に設けられるとともに、駆動部の内側には凸部が設けられ、傘を開く場合、該凸部が下ろくろの孔に掛合されているはじきを押し圧し、ハンドル部と駆動部とが接続アームで接続されているため、連動する。
【００１３】
請求項２に記載の傘具は、請求項１における駆動部の凸部が、上方側面に斜部が設けられ、凸部の下方斜面には斜部が設けられ、該斜部と斜部とが傘を開く場合、はじきを内側に押し圧して収縮させる。
【００１４】
請求項３に記載の傘具は、請求項１と２における凸部が、下方斜面に設けられた斜部の下方に延伸した部分に凹部を設けてなり、傘を開く場合、はじきが凹部の内側に突出する。
【００１５】
請求項４に記載の傘具は、請求項１における接続アームが、ハンドル部と駆動部と、リベットなどで接続か、或いは嵌合するか、或いは一体に成型され、該ハンドル部が、内側に滑動溝を具えてなり、下ろくろの下方延伸部の凸縁部が滑動し、互いに係合する。
【００１６】
請求項５に記載の傘具は、請求項１における下ろくろに回動自在にもうけられた受骨の内の一本、二本、或いは複数本の内側端縁部に内側に延伸した延伸桿が設けられ、該延伸桿が傘を開く場合に中棒を支持する。
【００１７】
請求項６に記載の傘具は、請求項１におけるはじきが、凸部と弾性体とを含んでなり、該凸部が中棒か、或いは上ろくろの下方延伸部か、或いは中棒と上ろくろの下方延伸部に設けられた孔に設けられ、内側端縁部が弾性部材に支持されて、凸部が該孔に対応して伸縮する。
【００１８】
請求項７に記載の傘具は、請求項６におけるはじきの凸部と弾性部材とが一体に成形されるか、或いは別に形成してから組み合わせるか、或いははじきが一体に成型された弓状の片に形成される。
【００１９】
請求項８に記載の傘具は、請求項１における下ろくろの上下側面の上方延伸部と、下方延伸部とが一体に成形した後、下ろくろに設けられるか、或いは下ろくろと上方延伸部と、下方延伸部と直接一体に成形される。
【００２０】
請求項９に記載の傘具は、請求項１におけるはじきが、上方から下方に掛合するフックで、上ろくろの側面に設けられ、上ろくろの下方延伸部の該フックに対応する位置にフックを掛合するために供する空間が設けられ、該フックが上ろくろと一体に成形されるか、或いは回動自在に接続される。
【００２１】
請求項１０に記載の傘具は、請求項１におけるはじきが、下方から上方に掛合するフックで、上ろくろの下方延伸部の側面に設けられ、上ろくろの下方延伸部と一体に成形するか、或いは回動自在に接続されるとともに、上ろくろの下方延伸部にはフックに対応する位置にフックを掛合するために供する空間が設けられる。
【００２２】
請求項１１に記載の傘具は、請求項６における弾性部材が、圧縮バネか、あるいは弾性片である。
【考案の効果】
【００２３】
この考案による傘具は、様々な傘に適用できて適用範囲が広く、加工、制作が簡単で、操作が便利で心地よく、安全性が高いという効果を有する。
【考案を実施するための最良の形態】
【００２４】
この考案は、構造が簡単で、使用者の手を傷つけることがない傘具であって、下ろくろと、はじきと、駆動器とを含んでなり、該下ろくろが、中棒に回動自在に設けられ、下ろくろの上下にはそれぞれ上方延伸部と、下方延伸部とが設けられ、該上方延伸部には孔が設けられ、該はじきが、下ろくろの上方延伸部の孔に掛合されて傘を開くことができ、該はじきが中棒か、或いは上ろくろの下方延伸部か、或いは中棒と上ろくろの下方延伸部とに設けられ、該駆動器がハンドル部と駆動部とを含んでなり、該ハンドル部が下ろくろの下方延伸部に滑動自在に接続して滑動し、該駆動部が下ろくろの上方延伸部に滑動自在に設けられるとともに、駆動部の内側には凸部が設けられ、傘を開く場合、該凸部が下ろくろの孔に掛合されているはじきを押し圧し、ハンドル部と駆動部とが接続アームで接続されているため、連動する傘具の構造と特徴を詳述するために具体的な実施例を挙げ、図示を参照にして以下に説明する。
【実施例】
【００２５】
図１から図６は、この傘具を示したものである。図面によれば、この考案の傘具は、下ろくろ１を含んでなる。該下ろくろ１は、中棒２上に滑動自在に設けて、中棒２に沿って上下に滑動し、これにより受骨が動かされて傘を開いたり閉じたりすることができる。
【００２６】
該下ろくろ１の上方側面と下方側面にはそれぞれ上方延伸部１１と、下方延伸部１２とが設けられる。該上方延伸部１１は、外周面上に孔１３が設けられる。
【００２７】
はじき３は、中棒２、或いは上ろくろ４の下方延伸部４３か、或いは中棒２と上ろくろ４の下方延伸部４３とに設けられ、上方延伸部１１上の孔１３に掛合するために供し、傘を開くことができる。
【００２８】
図６、７、８、９−１、９−２ａ、９−２ｂに開示するように、該傘を収納する駆動器５は、ハンドル部５１と、駆動部５２とを含んでなる。
【００２９】
該ハンドル部５１は、下ろくろ１の下方延伸部１２に滑動自在に設けられて滑動する。該下ろくろ１の下方延伸部１２には突起１２２が設けられる。該突起１２２は、ハンドル部５１の内側に形成された溝５１２の内側に対応するようにガイドして、下ろくろ１とハンドル部５１とが組み合わせる。よって、ハンドル部５１が下ろくろ１の下方延伸部１２の外側で回転することを防ぐことができる。
【００３０】
該駆動部５２は、下ろくろ１の上方延伸部１１上に滑動自在に設けられる。また、駆動部５２の内側には凸部５２１が形成される。傘を開く場合、該凸部５２１が孔１３に掛合されたはじき３を圧接する。
【００３１】
該ハンドル部５１と駆動部５２との間は、接続アーム５３で接続され、連動関係にある。該接続アーム５３とハンドル部５１と、駆動部５２とは、リベットなどで接続するか、或いは嵌合して接続するか、一体に成形する。
【００３２】
該ハンドル部５１の内側に設けられた滑動溝５１１は、下ろくろ１の下方延伸部１２の凸縁部１２１を滑動するために供する。該滑動溝５１１は、上端の内側に凸部５１３を設けてなり、該下方延伸部１２の凸縁部１２１と互いに係合して、ハンドル部５１と下ろくろ１の下方延伸部１２とが抜け落ちることを防ぎ、ハンドル部５１が下ろくろ１の外側を滑動し、且つ下ろくろ１の下方延伸部１２の下端が完全にハンドル部５１の内側に収納される。
【００３３】
図２から図７に開示するように、駆動器５のハンドル部５１を下方に引くと、接続アーム５３が駆動部５２を連動して、駆動部５２が下方に滑動し、内側の凸部５２１がはじき３を押圧する。よって、はじき３が内側に縮小して下ろくろ１が緩められ、下ろくろ１を下方に引き下げて傘を閉じることができる。
【００３４】
該下ろくろ１を下方に引き下げることは、駆動器５のハンドル５１の作用を通して達成され、ハンドル部５１の凸部５１３を下ろくろ１の下方延伸部１２の凸縁部１２１に係止させて、下ろくろ１を下方に滑動させる。
【００３５】
また、該下ろくろ１は、上方延伸部１１と下方延伸部１２と一体に成形し、異なる材料でそれぞれの部材を分けて製造した後、一体になるように組み合わせて固定接続してもよい。
【００３６】
図６−１に開示するように、該下ろくろ１は、上下側面の上方延伸部１１と、下方延伸部１２とを一体に成形した後、下ろくろ１を嵌設し、固定してもよい。よって、組み立て、加工が便利で、下ろくろ１と上方延伸部１１と下方延伸部１２は、円形、偏平形、楕円形などに形成してもよい。
【００３７】
図７、図９−１、図９−２ａ、図９−２ｂに開示するように、駆動部５２の凸部５２１の上方側面は、斜度を具えた斜部Ｃが形成され、凸部５２１の下方側面にも斜部Ｄが形成される。該斜部Ｃと斜部Ｄは、傘を開く場合、はじき３を押圧する。凸部５２１の下方側面の斜部Ｄの下方に延伸した部分には凹部５２２が設けられ、傘を開くと、はじき３が下ろくろ１の上方延伸部１１の孔１３から突出して凹部５２２の内部に設けられる。
【００３８】
傘を開く場合、駆動器５のハンドル部５１を上方に押し上げるだけで、ハンドル部５１の上端が下ろくろ１を押し上げて、中棒２に沿って上方に移動させる。
【００３９】
駆動部５２とハンドル部５１が連動して、駆動部５２内部の凸部５２１の上方側面の斜部Ｃがはじき３を押し圧する。はじき３が内側に沈み込み、凸部５２１が上方に移動してはじき３の上方に達する。
【００４０】
はじき３が自動的に下ろくろ１の上方延伸部１１上の孔１３から突出して凸部５２１の下方側面の凹部５２２に延伸して設けられて、傘が開いて係合する。
【００４１】
図２から図７に開示するように、傘を収納する場合、駆動器５のハンドル部５１を下方に引き下げると、駆動部５２がハンドル部５１に連動する。駆動部５２内部の凸部５２１の下方側面の斜部Ｄがはじき３を押し圧し、はじき３が内側に進入して下ろくろ１上の孔１３がはじき３の釣鐘状の部分を下向きに滑動させて、下ろくろ１が傘を閉じる目的を達成する。
【００４２】
図１から図５に開示するように、下ろくろ１に枢接する受骨６の内の一本、或いは複数本には、内側端縁部に内側に延伸した延伸桿６１が設けられる。該延伸桿６１は、傘を開句時に中棒２を支持して圧接する。
【００４３】
図４に開示するように、はじき３が下ろくろ１の孔１３に好ましい状態で確実に掛合するために、該孔１３が設けられた側面に対向する側の側面に位置する受骨６の一本には、内側端縁部に内側に延伸した延伸桿６１を設ける。
【００４４】
傘を開く場合、延伸桿６１が中棒の内管を押し圧して孔１３の設けられた側面に傾けると、はじき３がちょうど孔１３に掛合して傘を確実に開いて使用できる状態にする。
【００４５】
傘を収納する場合、延伸桿６１が受骨６に合わせて回転し、押し圧しなくなり、駆動器５（図７参照）の駆動部５２が下方に滑動すると、その内側の凸部５２１がはじき３を下方に押し圧するため、はじき３が内側に収縮して下ろくろ１の位置決めが緩められる。よって、下ろくろ１を下に引いて傘を閉じることができる。
【００４６】
図１から図３、及び図５によれば、二本の延伸桿６１が対向して設けられている。よって、中棒２が下ろくろ１の中央孔の中心に位置するように維持される。はじき３は、弾性の弓状の片か、或いは凸状のボタンであって、下ろくろ１の上方延伸部１１の孔１３に掛合される。
【００４７】
図６、図７、図９−１、図９−２ａ、図９−２ｂによれば、凸部５２１の下方側面の斜部Ｄの下方に延伸した部分に設けられた凹部５２２は、傘を開く場合にはじき３を突出して設けるために供する。
【００４８】
該凹部５２２は、凹設するか、或いは内部が透かし彫り状に形成する。図９−１に開示するように、該凹部５２２は、一箇所が透かし彫り状で、駆動部５２の下端まで延伸してもよい。また、図９−２ａに開示するように、該凹部５２２は、一箇所に凹設してもよい。さらに、図９−２ｂに開示するように、該凹部５２２は、環状に凹設してもよい。し、どう部、
【００４９】
図９−２ａ、９−２ｂに開示するように、駆動部５２は、金属の管体からなる。該駆動部５２の凸部５２１の上方側面の斜部Ｃは、はじき３を上方に押し上げるために便利である。
【００５０】
該凸部５２１の下方側面の斜部Ｄは、はじき３を押し圧して下方にひくために便利で、斜部Ｄの下方に延伸した部分に設けられた凹部５２２は、はじき３を外側に突出して設けるために供する。
【００５１】
また、接続アーム５３は、ハンドル部５１と駆動部５２とにリベットなどで接続されるか、或いは一体に成形される。
【００５２】
図１０ａに開示するように、はじき３は、凸部３２と、弾性片３１”とを含んでなる。該凸部３２は、中棒２と、上ろくろ４の下方延伸部４３とに対応して設けられた孔に貫通して設けられる。内側の端縁部は弾性片３１”により支持され、凸部３２が孔に対して伸縮する。また、該凸部３２は、円錐形か、或いは偏平な釣り鐘状に形成され、掛合、或いは掛合の取り外しに便利である。
【００５３】
図１０ｂに開示するように、はじき３は、一体に成形された弓状の片で、弓状の片の凸部３２が中棒２に設けられた孔に対応して設けられる。該凸部３２は、接続する弾性の弓部３１’に支持されているため、伸縮性と弾性とを具えてなる。
【００５４】
図１０ｃに開示するように、はじき３は、一体に成形された弓状の片で、該弓状の片は、凸部３２と、弾性の弓部３１’とを含んでなる。該凸部３２は、中棒２と上ろくろ４の下方延伸部４３にもうけられた孔に対応して設けられる。該凸部３２は、接続する弓部３１’に支持されているため、伸縮性と弾性を具えてなる。
【００５５】
図１０ｄに開示するように、はじき３は、凸部３２と、圧縮バネ３１とを含んでなる。該凸部３２は、中棒と上ろくろ４の下方延伸部４３に設けられた孔に対応して設けられ、内側端縁部が圧縮バネ３１に支持される。上ろくろ４の下方延伸部４３は中棒２の外管の内部に挿入して設けられ、凸部３２が孔に伸縮する。
【００５６】
図１１ａ、１１ｂに開示するように、凸部３２は、内側端縁部に凹孔、或いは凸柱を設けて、圧縮バネ３１を位置決めするため、構造の安定性が上昇する。
【００５７】
図１２ａ、１２ｂに開示するように、上ろくろ４の下方延伸部４３は加工してほぞ孔４１を設けて、凸部３２と圧縮バネ３１を設け、その後、中棒２を固定接続する。該中棒２は圧縮バネ３１の後端に支持されているため、凸部３２が伸縮性と弾性を具えてなる。
【００５８】
該中棒２は、バネを組み合わせる位置に対応して内側に凹部を形成してもよい。中棒２の凹部は圧縮バネ３１を確実に位置決めし、中棒２に孔を開ける必要がないため、構造の強度が上昇して、折れ難くなる。
【００５９】
図１２ｃ、１２ｄに開示するように、上ろくろ４の下方延伸部４３の側面には、ほぞ孔４１が加工して設けられ、凸部３２と圧縮バネ３１とを設けるために供する。該中棒２は、バネを組み合わせる位置に対応して内側に凹部を設けてもよい。
【００６０】
組み合わせる場合には、先に、中棒２と、上ろくろ４の下方延伸部４３とを固定接続する。その後、圧縮バネ３１と、凸部３２とを順に下方延伸部４３のほぞ孔４１へ設けると、圧縮バネ３１の内側端縁部がちょうど中棒２の内側の凹部の側面に当接し、圧縮バネ３１の外側端縁部が凸部３２の凹孔に嵌合する。よって、凸部３２が伸縮性を具えてなる。
【００６１】
上ろくろ４の下方延伸部４３の外周には、外スリーブ７が嵌合される。該外スリーブ７は、凸部３２の細い一端に伸縮性を供するための貫通孔を具えてなる。また、該外スリーブ７は凸部３２の太い一端を係止して、凸部３２の太い一端が下方延伸部４３のほぞ孔４１から外れないようにする。
【００６２】
該下方延伸部４３のほぞ孔４１は、凸部３２の太い一端が直径方向に伸縮する空間を提供する。
【００６３】
該外スリーブ７は、リベットなどで接続するか、或いは、ほぞに軸を穿設する方法で上ろくろ４の下方延伸部４３と固定接続する。よって、中棒２に孔を開ける必要がないため、強度が上昇して折れ難くなる。
【００６４】
図１３は、図１２ａと図１２ｂとを組み合わせた実施形態を示したものである。図面によれば、凸部３２と圧縮バネ３１とをほぞ孔４１に横方向に設けた後、中棒２を下方延伸部４３及び外スリーブ７へ垂直に挿接すると、凸部３２と圧縮バネ３１が中棒２の側面に当接して位置決めされ、中棒２と上ろくろ４の下方延伸部４３とが固定される。
【００６５】
傘を開く場合、駆動器５のハンドル部５１を上方に押し動かすだけで（図７参照）、ハンドル部５１の上端が下ろくろ１を押し動かす。よって中棒２が上方に移動させられて、駆動部５２がハンドル部５１に連動する。
【００６６】
駆動部５２内部の凸部５２１の上方側面の斜部Ｃがはじき３を押し圧し、はじき３が内側に収縮して凸部５２１がはじき３の上方に移動する。この時、はじき３が自動的に下ろくろ１の上方延伸部１１の孔１３から突出して、凸部５２１の下方側面の凹部５２２に延伸して掛合し、傘を開くことができる。
【００６７】
傘を収納する場合、駆動器５（図７参照）のハンドル部５１を下方に引き下げると、駆動部５２がハンドル部５１に連動し、駆動部５２内部の凸部５２１の下方側面の斜部Ｄがはじき３を押し圧して、はじき３が内側に収縮し、下ろくろ１上の孔１３から、はじき３の釣鐘状の部分が下向きに滑動して外れる。よって、下ろくろ１を下方に引いて傘を閉じることができる。
【００６８】
図１４に開示するように、はじき３は、上から下へ掛合するフックでもよい。該はじき３は、上ろくろ４の下方延伸部４３の側面に設けられるとともに、上ろくろ４の下方延伸部４３の、はじき３に対応する部分に空間４２が形成され、フックを掛合するための操作に供する。
【００６９】
該フックは上ろくろ４と一体に成形するか、或いは回動自在に接続してもよい。上ろくろ４の下方延伸部４３の対応する位置には空間４２が浮き彫り状に設けられる。該空間４２は、フックの作動空間として供され、フックが弾性により傘の開閉に合わせて作動される。
【００７０】
図１５に開示するように、はじき３は、下から上に掛合するフックでもよい。該フックは、上ろくろ４の下方延伸部４３の側面に設けられ、該上ろくろ４の下方延伸部４３のフックに対応する位置には、フックを掛合するために作動する空間４２が形成される。
【００７１】
該フックは上ろくろ４の下方延伸部４３と一体に成形するか、或いは回動自在に接続してもよい。該上ろくろ４の下方延伸部４３は、フックに対応する位置に、浮き彫り状に形成された空間４２を具えてなる。該空間４２は、フックの作動空間として供され、フックが弾性により傘を開閉に合わせて作動される。
【００７２】
図１６と図７は、この考案の傘の他の実施形態を示したものである。図面によれば、はじき３は、中棒２の外管上に設けられる。該中棒の外管の外径は下ろくろ１の中心孔の孔径と比較的近い値に形成される。よって、受骨６の内側端縁部に延伸桿を設ける必要がない。
【００７３】
傘を開く場合、はじき３孔に掛合すれば、傘を開く目的を達成することができる。傘を収納する場合、駆動器５の駆動部５２を下方に滑動させると、その内側の凸部５２１がはじき３を押し圧する。該はじき３が内側に収縮して下ろくろ１の掛合が外れ、下ろくろ１を下方に引き下げて傘を収納することができる。
【００７４】
この考案の傘は、中棒２の内管が上方に設けられた傘に適用できるだけでなく、中棒２の外管が上方に設けられた傘にも適用することができるため、適用範囲が広く、加工、制作が簡単で、操作が便利で心地よく、安全性が高い。
【００７５】
図１７から図２１に開示するように、この考案の傘具は、垂直な傘骨に応用することができ、中棒２は一本の垂直な管体で、内・外管に分かれていない。また、親骨もまっすぐで、中棒２の外径が下ろくろ１の中心孔の孔径に近い値で形成される。この場合、受骨６は、内側端縁部に延伸桿を設ける必要がなく、下ろくろ１の孔１３に、はじき３が安定して掛合される。この実施形態における傘の開閉動作については、上述と同じであるため、詳述しない。
【００７６】
図１８に開示するように、はじき３は、凸部３２と、弾性片３１”とを含んでなる。該凸部３２は、中棒２と、上ろくろ４の下方延伸部４３とに対応して設けられた孔に貫通して設けられる。内側の端縁部は弾性片３１”により支持され、凸部３２が孔に対して伸縮する。また、該凸部３２は、円錐形か、或いは偏平な釣り鐘状に形成され、掛合、或いは掛合の取り外しに便利である。
【００７７】
図１９に開示するように、はじき３は、一体に成形された弓状の片で、弓状の片の凸部３２が中棒２に設けられた孔に対応して設けられる。該凸部３２は、接続する弾性の弓部３１’に支持されているため、伸縮性と弾性とを具えてなる。
【００７８】
図２０に開示するように、はじき３は、凸部３２と、圧縮バネ３１とを含んでなる。該凸部３２は、中棒と上ろくろ４の下方延伸部４３に設けられたほぞ孔４１に設けられ、内側端縁部が圧縮バネ３１に支持される。中棒２は、上ろくろ４の下方延伸部４３に挿接されて、凸部３２と圧縮バネ３１が中棒２の側面によって制限を受ける。該中棒２は、圧縮バネ３１が設けられる位置に凹部を設けてなり、中棒２の凹部が確実に圧縮バネ３１を位置決めする。
【００７９】
よって、中棒２に孔を設ける必要がなく、強度を上昇することができるため、折れ難くなる。
【００８０】
図２１に開示するように、該凸部３２は、中棒２と凸部３２と、圧縮バネ３１とを含んでなる。該凸部３２は、中棒と上ろくろ４の下方延伸部４３に設けられた孔に対応して設けられ、内側端縁部が圧縮バネ３１に支持される。上ろくろ４の下方延伸部４３は中棒２の内部挿入して設けられ、該凸部３２が孔に対して伸縮する。
【００８１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００８２】
【図１】この考案の傘具を示した断面図である。
【図２】図１に開示する傘具が傘を閉じる場合の動作を示した説明図である。
【図３】図１に開示する傘具を閉じる状態を示した説明図である。
【図４】この考案の傘具の他の実施形態を示した断面図である。
【図５】この考案のその他の実施形態を示した断面図である。
【図６】この考案の傘具を分解した状態を示した説明図である。
【図６−１】この考案の傘具の別の実施形態を分解した状態を示した説明図である。
【図７】この考案の傘具の駆動器を示した断面図である。
【図８】この考案の傘具の駆動器のハンドル部を示した説明図である。
【図９−１】この考案の傘具の駆動器の駆動部の他の実施形態を示した説明図である。
【図９−２ａ】この考案の駆動器の駆動部のその他の実施形態を示した説明図である。
【図９−２ｂ】この考案の駆動器の駆動部のその他の実施形態を示した説明図である。
【図１０ａ】この考案の傘具のはじきが凸部である場合を示した説明図である。
【図１０ｂ】この考案の傘具のはじきが凸部である場合を示した説明図である。
【図１０ｃ】この考案の傘具のはじきが凸部である場合を示した説明図である。
【図１０ｄ】この考案の傘具のはじきが凸部である場合を示した説明図である。
【図１１ａ】この考案の傘具の弾性部材が圧縮バネである場合に凸部と接続する状態を示した説明図である。
【図１１ｂ】この考案の傘具の弾性部材が圧縮バネである場合に凸部と接続する状態を示した説明図である。
【図１２ａ】この考案の傘具のはじきが凸部で、上ろくろの下方延伸部と接続する場合の他の実施形態を示した説明図である。
【図１２ｂ】この考案の傘具のはじきが凸部で、上ろくろの下方延伸部と接続する場合の他の実施形態を示した説明図である。
【図１２ｃ】この考案の傘具のはじきが上ろくろの下方延伸部に接続する場合のその他の実施形態を示した説明図である。
【図１２ｄ】この考案の傘具のはじきが上ろくろの下方延伸部に接続する場合のその他の実施形態を示した説明図である。
【図１３】図１２ａ、１２ｂを組み合わせる状態を示した説明図である。
【図１４】この考案の傘具のはじきがフックである場合を示した断面図である。
【図１５】この考案のはじきがフックである場合を示した断面図である。
【図１６】この考案の傘具が外管が表面にある傘具である場合の別の実施形態を示した説明図である。
【図１７】この考案の傘具がまっすぐな傘骨である場合を示した説明図である。
【図１８】この考案の傘具がまっすぐな傘骨である場合の他の実施形態を示した説明図である。
【図１９】この考案の傘具がまっすぐな傘骨である場合のその他の実施形態を示した説明図である。
【図２０】この考案の傘具がまっすぐな傘骨である場合の別の実施形態を示した説明図である。
【図２１】この考案の傘具がまっすぐな傘骨である場合のもう一つの実施形態を示した説明図である。
【符号の説明】
【００８３】
１       下ろくろ
１１     上方延伸部
１２     下方延伸部
１２１   凸縁部
１２２   突起
１３     孔
２       中棒
３       はじき
３１     圧縮バネ
３１’   弓部
３１”   弾性片
３２     凸部
４       上ろくろ
４１     ほぞ孔
４２     空間
４３     下方延伸部
５       駆動器
５１     ハンドル部
５１１   滑動溝
５１２   溝
５１３   凸部
５２     駆動部
５２１   凸部
５２２   凹部
５３     接続アーム
６       受骨
６１     延伸桿
７       外スリーブ
Ｃ       斜部
Ｄ       斜部
【図１】
0003141990.tif 000003
【図２】
0003141990.tif 000004
【図３】
0003141990.tif 000005
【図４】
0003141990.tif 000006
【図５】
0003141990.tif 000007
【図６】
0003141990.tif 000008
【図６−１】
0003141990.tif 000009
【図７】
0003141990.tif 000010
【図８】
0003141990.tif 000011
【図９−１】
0003141990.tif 000012
【図９−２ａ】
0003141990.tif 000013
【図９−２ｂ】
0003141990.tif 000014
【図１０ａ】
0003141990.tif 000015
【図１０ｂ】
0003141990.tif 000016
【図１０ｃ】
0003141990.tif 000017
【図１０ｄ】
0003141990.tif 000018
【図１１ａ】
0003141990.tif 000019
【図１１ｂ】
0003141990.tif 000020
【図１２ａ】
0003141990.tif 000021
【図１２ｂ】
0003141990.tif 000022
【図１２ｃ】
0003141990.tif 000023
【図１２ｄ】
0003141990.tif 000024
【図１３】
0003141990.tif 000025
【図１４】
0003141990.tif 000026
【図１５】
0003141990.tif 000027
【図１６】
0003141990.tif 000028
【図１７】
0003141990.tif 000029
【図１８】
0003141990.tif 000030
【図１９】
0003141990.tif 000031
【図２０】
0003141990.tif 000032
【図２１】
0003141990.tif 000033